(57)【特許請求の範囲】
【請求項１】
時刻を計時する時刻計時手段と、
時刻計時以外の付加機能と、
外部操作部材と、
該外部操作部材の操作による前記付加機能で使用される値の設定と、モード移行を制御する制御手段と、
を有する電子時計において、
前記制御手段は、前記付加機能で使用される値が特定値に設定されることで、前記モードを切り替える
ことを特徴とする電子時計。
【請求項２】
前記付加機能はカレンダー計時手段であり、
前記特定値は特定日であることを特徴とする請求項１記載の電子時計。
【請求項３】
前記特定日は、過去の日付であることを特徴とする請求項２記載の電子時計。
【請求項４】
前記特定日は、非存日であることを特徴とする請求項２記載の電子時計。
【請求項５】
前記付加機能は世界時計機能であり、
前記特定値は特定都市名であることを特徴とする請求項１記載の電子時計。
【請求項６】
前記付加機能は世界時計機能であり、
前記特定値は特定時差であることを特徴とする請求項１記載の電子時計。
【請求項７】
前記特定都市名は、実在しない都市名であることを特徴とする請求項５記載の電子時計。
【請求項８】
前記特定時差は、実在しない時差であることを特徴とする請求項６記載の電子時計。
【請求項９】
前記切り替えられるモードは検査モード又はパワーセーブモードである
ことを特徴とする請求項１乃至８のいずれか一項に記載の電子時計。
【発明の詳細な説明】
【０００１】
【発明の属する技術分野】
本発明は非存日、又は存在しない都市、又は存在しない時差の設定を行うことによって、時計仕様の検査、又はパワーセーブ回路等含む所定の回路を行うことのできる電子時計に関するものである。
【０００２】
【従来の技術】
従来より、システムリセット直後に外部部材の複雑な操作によって、時計仕様の検査回路を働かせることにより検査モードに移行させ、電子時計の検査を行なっている。
【０００３】
従来の技術を図３の電子時計の回路ブロック図を用いて説明する。
図３において１は基準信号を出力する発振回路、２は基準信号を分周して時刻基準信号Ｓ２１及び機能情報基準信号Ｓ２２を発生させる基準信号発生手段、７は後述する時刻計時手段３、年月日計時手段８、曜計時手段９から構成される時刻カレンダー計時手段である。３は時刻基準信号Ｓ２１を受けて時刻表示信号ＡＳ２８、時刻表示信号ＢＳ２９、カレンダー歩進信号Ｓ３６を出力する時刻計時手段、８は時刻計時手段３から出力されるカレンダー歩進信号Ｓ３６を受けて年月日を計時する年月日計時手段、９も時刻計時手段３から出力されるカレンダー歩進信号Ｓ３６を受けて曜を計時する曜計時手段である。１２は時刻計時手段３から出力される時刻表示信号ＡＳ２８を受けて時刻表示を行う表示手段Ａでありアナログで表示を行う。１４１は外部部材であるプッシュボタンＡ、１４２も外部部材であるプッシュボタンＢである。１４３は割り込み信号Ｓ３８を出力する割り込みスイッチでありシステムリセット時にＯＮであれば検査モードに移行し、ＯＦＦであれば通常の時計仕様に移行させる切替スイッチである。
【０００４】
４はモードスイッチ信号Ｓ２３を出力するモードスイッチでありモードを切り替えるスイッチである。５はモードスイッチ４から出力されるモードスイッチ信号Ｓ２３を受けて時刻カレンダーモード信号Ｓ２４、高度メモ呼び出し信号Ｓ２５、高度モード信号Ｓ２６を出力するモード信号発生手段である。またモード信号発生手段５は割り込みスイッチ１４３がＯＮの場合は強制的に高度モード信号Ｓ２６を出力する。６はモード信号発生手段５から出力される時刻モード信号Ｓ２４、高度メモ呼び出し信号Ｓ２５、高度モード信号Ｓ２６を受けて、プッシュボタンＡ１４１、プッシュボタンＢ１４２の操作によりモード内状態信号Ｓ２７を出力するモード内状態発生手段である。１０は後述する高度回路１４、検査回路１５で構成される高度計測手段である。１４は基準信号発生手段２から出力される機能情報基準信号Ｓ２２を受けて高度計測を行い高度表示信号Ｓ３１を出力する高度回路である。１５は割り込みスイッチ１４３がＯＮのとき基準信号発生手段２から出力される機能情報基準信号Ｓ２２を受けて検査を行い、検査表示信号Ｓ３７を出力する検査回路である。１９は高度モード信号Ｓ２６を受けてイネーブル状態となり、プッシュボタンＢ１４２の操作により高度値を６ポイント分記憶できる領域ａ，ｂ，ｃ，ｄ，ｅ，ｆがあるメモリー手段である。またメモリー手段１９は高度メモ呼び出し信号Ｓ２５を受けて、後述する高度メモ呼び出し手段１１から出力されるメモリー呼び出し信号Ｓ４０の制御信号と、モード内状態信号Ｓ２７により、メモリー表示信号Ｓ４１を出力する。１１は高度メモ呼び出し信号Ｓ２５を受けてイネーブル状態となり、メモリー手段に記憶されている高度値の呼び出す順番を制御しメモリー呼び出し信号Ｓ４０を出力する高度メモ呼び出し手段である。１３は時刻表示信号Ｓ２９、カレンダー信号Ｓ３０、高度表示信号Ｓ３１、検査表示信号Ｓ３７、メモリー表示信号Ｓ４１のいずれかを受けて表示を行う表示手段Ｂであり、モード信号発生手段５からの出力信号に対応したいずれか１つのモードをデジタル表示で行う。
【０００５】
続いて従来技術の動作を図３の電子時計の回路ブロック図を用いて説明する。
表示手段Ａ１２は時刻計時手段３から出力される時刻表示信号Ｓ２８を利用して常に時刻を表示している。表示手段Ｂ１３にはモード信号発生手段５の出力により、時刻表示、カレンダー表示、高度表示、検査表示、メモリー表示のいずれか一つが表示される。まず表示手段Ｂ１３に時刻を表示させたい場合、モードスイッチ４の選択により、モード信号発生手段５は時刻カレンダーモード信号Ｓ２４を出力させ、モード内状態発生手段６に時刻カレンダーモードが選択されたことを伝えると同時に時刻計時手段３をイネーブルにし、時刻表示信号ＢＳ２９を出力させ表示手段Ｂ１３に表示を行う。表示手段Ｂ１３にカレンダーを表示させたい場合、時刻表示状態中にプッシュボタンＡ１４１の操作により、モード内状態発生手段６はモード内状態信号Ｓ２７を発生させ、年月日計時手段８、曜表示手段９をイネーブルにし、カレンダー表示信号Ｓ３０を出力させ表示手段Ｂ１３に表示を行う。
【０００６】
時刻及びカレンダーを修正したい場合は、表示手段Ｂ１３が時刻表示及びカレンダー表示状態中にプッシュボタンＡ１４１を１〜１．５秒押し続けることにより、モード内状態発生手段６はモード内状態信号Ｓ２７を発生させ、時刻カレンダー計時手段７は修正状態となる。はじめにプッシュボタンＢ１４２の操作により時刻を修正する。時刻の修正が終了するとプッシュボタンＡ１４１の操作によりモード内状態発生手段６はモード内状態信号Ｓ２７を発生させ、年月日修正状態に切り替わり、プッシュボタンＢ１４２の操作により年月日を修正する。年月日の修正が終了するとプッシュボタンＡ１４１の操作により、モード内状態発生手段６はモード内状態信号Ｓ２７を発生させ、曜修正状態に切り替わり、プッシュボタンＢ１４２の操作により曜を修正する。曜修正が終了すると、プッシュボタンＡ１４１の操作によりモード内状態発生手段６はモード内状態信号Ｓ２７を発生させ、修正状態から時刻表示状態に移行し、通常の時刻表示を行う。
【０００７】
表示手段Ｂ１３に高度表示を表示させたい場合、モードスイッチ４の選択により、モード信号発生手段５は高度モード信号Ｓ２６を出力させ、モード内状態発生手段６に高度計測が選択されたことを伝えると同時に高度計測手段１０、メモリー手段１９をイネーブルにする。高度計測手段１０は機能情報基準信号Ｓ２２を受けて高度回路１４を用いて高度計測を行い、高度表示信号Ｓ３１を出力させ表示手段Ｂ１３に表示を行う。高度計測中、あるポイントで高度値を記憶させたい場合は、プッシュボタンＢ１４２の操作により、モード内状態発生手段６はモード内状態信号Ｓ２７を発生させメモリー手段１９に記憶される。表示手段Ｂ１３に検査モードの表示をさせたい場合、プッシュボタンＡ１４１、プッシュボタンＢ１４２を同時に２〜２．５秒以上押し続けることによりシステムリセットがかかり時計が初期状態とし、さらに割り込みスイッチ１４３がＯＮの状態のとき割り込み信号Ｓ３８を発生させることにより、検査回路１５とメモリー手段１９をイネーブルにする。またモード信号発生手段５は強制的に高度モード信号Ｓ２６を出力することにより高度計測手段１０はイネーブルとなり検査回路１５が動作する。検査回路１５が動作すると検査表示信号Ｓ３７を出力させ表示手段Ｂ１３に表示を行う。
【０００８】
また検査モードになると検査回路１５が働いて高度計測を開始し、プッシュボタンＢ１４２の操作を行うことなく、ある一定間隔でメモリー手段１９に６ポイント分記憶される。一定間隔でメモリー手段１９に記憶できることにより圧力チャンバー（気圧を変化させる装置であり、密閉しているため手が入れられない装置である）内でもスイッチ操作をすることなく記憶でき、圧力チャンバーの圧力を変化させて圧力センサーの精度検査などを確認できる。検査回路から通常の時刻表示や高度表示に戻したい場合は、再びプッシュボタンＡ１４１、プッシュボタンＢ１４２を同時に２〜２．５秒以上押し続けることによりシステムリセットをかけ初期状態とし、割り込みスイッチ１４３がＯＦＦの状態にすると、割り込み信号Ｓ３８は発生せず、通常の時刻表示状態の初期の状態に戻ることができる。
【発明が解決しようとする課題】
【０００９】
しかしながら従来の電子時計は、検査回路を働かせる為にシステムリセットを行なわなければ入れないものが多く、せっかく合わせた時刻を検査終了後に再び合わせなければならない欠点があった。また割り込みスイッチ１４３のような専用のスイッチを設けなくてはならず、時計内部のように狭い範囲ではかなりのスペースを取ってしまう欠点があった。またシステムリセットは行わないとしても、ユーザーが簡単に検査回路を働かせないよう、複雑なスイッチ操作で検査回路をイネーブルにするため、実際に検査回路を使用する工場でも、検査に入るまでに時間がかかる欠点があった。
本発明は上記課題を解決しようとするもので、工場では、システムリセットを行わず時刻の再合わせの必要をなくし、さらに割り込みスイッチを設けることなく、ユーザーが気づかずに簡単に検査が行えることを目的とする。
【００１０】
【課題を解決するための手段】
上記目的を達成するための本発明は、
時刻を計時する時刻計時手段と、
時刻計時以外の付加機能と、
外部操作部材と、
該外部操作部材の操作による前記付加機能で使用される値の設定と、モード移行を制御する制御手段と、
を有する電子時計において、
前記制御手段は、前記付加機能で使用される値が特定値に設定されることで、前記モードを切り替える
ことを特徴とする。
【００１１】
また前記付加機能はカレンダー計時手段であり、前記特定の状態は特定日であることを特徴とする。
【００１２】
また前記特定日は、過去の日付が設定できることを特徴とする。
【００１３】
また前記特定の日付は、非存日を設定できることを特徴とする。
【００１４】
また前記付加機能は世界時計機能であり、前記特定の状態は特定都市であることを特徴とする。
【００１５】
また前記付加機能は世界時計機能であり、前記特定の状態は特定時差であることを特徴とする。
【００１６】
また前記設定都市は、実在しない都市であるを特徴とする。
【００１７】
また前記特定時差は、存在しない時差であることを特徴とする。
【００１８】
また前記切り替えられるモードは検査モード又はパワーセーブモードであることを特徴とする。
【発明の実施の形態】
以下本発明に係る電子時計の実施形態について説明する。図１は本発明の１実施の形態の回路ブロック図である。図２は本発明の１実施の形態の上面図である。本発明の同一技術の構成については同一の番号を付し説明を省略する。
従来からの追加部分の構成は記載する。
【００１９】
図１において１６はあらかじめ定められた曜が設定されており、特定曜信号Ｓ３４を出力する特定曜手段である。１８はあらかじめ定められた出荷前の過去の年月日が設定されており、特定年月日信号Ｓ３９を出力する特定年月日手段である。１７は曜計時手段９から出力される曜情報Ｓ３３と、特定曜手段１６から出力される特定曜信号Ｓ３４が一致し、さらに年月日計時手段８から出力される年月日情報Ｓ３２と、特定年月日手段１８から出力される特定年月日信号Ｓ３９が一致すると、一致信号Ｓ３５を出力する一致回路であり、この一致信号Ｓ３５により検査回路１５をイネーブルにする。
【００２０】
次に本発明における動作を図１の電子時計の回路ブロック図及び図２の上面図を用いて説明する。図１において特定曜手段１６はあらかじめ水曜日、特定年月日１８はあらかじめ１９９８年１月１日に設定しておく。モードスイッチ４から出力されるモードスイッチ信号Ｓ２３を受けてモード信号発生手段５は時刻カレンダーモード信号を出力させて時刻カレンダー計時手段７を選択する。プッシュボタンＡ１４１を１〜１．５秒押し続けることにより修正状態に移行させ、年月日計時手段８の年設定を出荷前の過去の年月日にあわせ、さらに曜計時手段９の曜設定を年月日計時手段８に設定した出荷前の過去の年月日ではあり得ない曜にあわせて、設定後修正状態から通常状態に戻す。（例えば、年月日計時手段８の設定を１９９８年１月１日にすると、本来は木曜日であるので、木曜日以外の曜、例えば水曜日にあわせる。）年月日計時手段８から出力される年月日情報Ｓ３２と特定年月日手段１８から出力される特定年月日信号Ｓ３９が一致し、曜計時手段９から出力される曜情報Ｓ３３と特定曜手段１６から出力される特定曜信号Ｓ３４が一致すると一致信号Ｓ３５が出力される。
【００２１】
次に時刻表示状態、又はカレンダー表示状態からモードスイッチ４の切替により、モード信号発生手段５から出力される高度モード信号Ｓ２６により高度計測手段１０を選択する。もし検査回路１５が一致信号Ｓ３５を受けていたら検査回路１５がイネーブルとなり、検査表示信号Ｓ３７を出力させ検査表示状態となる。一致信号Ｓ３５を受けていなかったら高度回路１４がイネーブルとなり、高度表示信号Ｓ３１を出力させ図２に示すような高度表示状態となる。検査を終了したい場合は、モードスイッチ４により、高度計測モードから他のモードに移行させるだけで検査を終了させることができる。
【００２２】
次に第２の実施形態を図４の電子時計の回路ブロック図を用いて説明する。図１に示した第一実施形態との同一技術の構成については同一の番号を付し説明を省略する。本実施形態は長期にわたり時計を使用しない時などに電源の消費電力を削減するため時刻表示手段の表示を停止させ、内部の回路のみで現在時刻を維持しつづけ、再び時計を使用するとき、内部回路に基づき時刻表示手段を正しい現在時刻に復帰させるいわゆるパワーセーブモードを有する時計を対象にしている。
【００２３】
図４において、２０は後述するパワーセーブカウンター２１からなるパワーセーブ手段であり、基準信号発生手段２から出力される機能情報基準信号Ｓ２２を受け取って、モード信号発生手段５にパワーセーブ状態か通常状態かを伝えるＳ４２のパワーセーブ状態信号を出力する。２１はパワーセーブモードに移行した時点でカウントを開始しパワーセーブモードが解除される時点までカウントを行うパワーセーブカウンターである。Ｓ４３はパワーセーブが解除された時点で時刻計時手段３にパワーセーブカウンター２１のカウンタ値を出力するカウンター情報である。
【００２４】
次に本発明における動作を図４の電子時計の回路ブロック図を用いて説明する。
図４において特定曜手段１６はあらかじめ水曜日、特定年月日１８はあらかじめ１９９８年１月１日に設定されている。モードスイッチ４から出力されるモードスイッチ信号Ｓ２３を受けてモード信号発生手段５は時刻カレンダーモード信号Ｓ２４を出力させて時刻カレンダー計時手段７を選択する。プッシュボタンＡ１４１を１〜１．５秒押し続けることにより修正状態に移行させ、年月日計時手段８の年設定を出荷前の過去の年月日にあわせ、さらに曜計時手段９の曜設定を年月日計時手段８に設定した出荷前の過去の年月日ではあり得ない曜にあわせて、設定後修正状態から通常状態に戻す（例えば、年月日計時手段８の設定を１９９８年１月１日にすると、本来は木曜日であるので、木曜日以外の曜、例えば水曜日にあわせる）。年月日計時手段８から出力される年月日情報Ｓ３２と特定年月日手段１８から出力される特定年月日信号Ｓ３９が一致し、曜計時手段９から出力される曜情報Ｓ３３と特定曜手段１６から出力される特定曜信号Ｓ３４が一致すると一致信号Ｓ３５が出力される。
【００２５】
一致信号Ｓ３５が出力されると、パワーセーブ手段２０のパワーセーブカウンター２１がイネーブルとなり、パワーセーブカウンター２１がカウントを開始すると同時にパワーセーブ状態信号Ｓ４２はモード信号発生手段５にパワーセーブ状態であることを伝える。モード信号発生手段５の時刻カレンダーモード信号Ｓ２４は時刻カレンダー計時手段７をディゼーブルにする信号を出力し、ディゼーブル状態にする。時刻計時手段３をディゼーブルにすることで、時刻表示信号ＡＳ２８及びカレンダー表示手段Ｓ３０の出力を停止し表示手段Ａ１２は運針を停止し、表示手段Ｂ１３は表示を消すことによりパワーセーブ状態に移行される。
この間パワーセーブカウンター２１はパワーセーブ状態が解除されるまで１秒間隔でカウントし続ける。
【００２６】
パワーセーブを終了したい場合は、プッシュボタンＡ１４１またはプッシュボタンＢ１４２の操作を行う。この操作によりパワーセーブ手段２０はモード内状態発生手段６から出力されるモード内状態信号Ｓ２７を受け取って、パワーセーブ状態を解除する。パワーセーブ状態を解除するとパワーセーブ状態信号Ｓ４２を出力し、モード信号発生手段５に伝える。またカウンター情報信号Ｓ４３を出力する。モード信号発生手段５は時刻カレンダー計時手段７をイネーブルにするための時刻カレンダーモード信号Ｓ２４を出力し、時刻カレンダー計時手段７をイネーブル状態にする。時刻計時手段３はパワーセーブ手段２０から出力されたカウンター情報Ｓ４３を受け取ってカウンター値を加算し、現在時刻に復帰させてから時刻表示信号ＡＳ２８、カレンダー歩進信号Ｓ３６、カレンダー表示信号Ｓ３０を出力する。時刻表示信号ＡＳ２８の信号をもとに表示手段Ａ１２を表示、カレンダー表示信号Ｓ３０の信号をもとに表示手段Ｂ１３を表示することにより、パワーセーブ状態を終了させることができる。
【００２７】
次に第３の実施形態を図５の電子時計の回路ブロック図及び図６の上面図を用いて説明する。図１及び図４で説明した第１、第２の実施形態との構成については同一の番号を付し説明を省略する。
【００２８】
本実施形態は、あらかじめ登録されている都市及び時差以外の都市及び時差をユーザーが表示させたい場合、都市と時差を任意に設定出来る機能であり、いわゆる任意都市登録機能を有する時計を対象にしている。
【００２９】
３０は後述する設定都市メモリ３１と設定時差メモリ３２と一時待避メモリー４５で構成された任意登録都市設定手段であり、モード信号発生手段５から出力されるＳ５２の任意登録都市モード信号を受け取ってイネーブル状態となり、都市情報Ｓ５４及び時差情報Ｓ５５を出力する。３１はプッシュボタンＢ１４２の操作により設定された都市を登録する設定都市メモリ、３２はプッシュボタンＢ１４２の操作により設定された時差を登録する設定時差メモリ、４５は任意登録都市モード信号を最初に受け取った段階で、一旦設定都市メモリー３１、設定時差メモリー３２の内容を一時記憶させておくための一時待避メモリである。
【００３０】
３３はあらかじめ定められた都市が設定されており、Ｓ５０の特定都市信号を出力する特定都市手段である。３４はあらかじめ定められた時差が設定されており、Ｓ５１の特定時差信号を出力する特定時差手段である。５０は後述する任意都市時差メモリー５１と、あらかじめ登録されている都市及び時差が記憶されている都市時差記憶手段であり、都市時差選択信号Ｓ６０によりイネーブルとなり、都市時差表示信号Ｓ５３を出力する。５１は都市情報Ｓ５４及び時差情報Ｓ５５を受け取って記憶する任意都市時差メモリーである。
【００３１】
図６において、４０は都市時差表示信号Ｓ５３を受け取って都市の表示を行う都市表示部であり、４１は都市時差表示信号Ｓ５３を受け取って時差の表示を行う時差表示部であり、共に表示手段Ｂ１３の中で表示する。
【００３２】
次に本発明における動作を図５の回路ブロック図を及び図６の上面図を用いて説明する。図５において特定都市手段３３はあらかじめ”ＹＭＴ”、特定時差手段３４はあらかじめ”＋２５”に設定されている。
【００３３】
図６において都市表示部４０には都市が、時差表示部４１には時差が常に表示されている。
【００３４】
時刻カレンダーモードにおいては、時刻カレンダーモード信号Ｓ２４が出力されているので都市時差記憶手段５０に記憶されているどれか一つが都市表示４０及び時差表示４１に表示される。ここでプッシュボタンＢ１４２を操作すれば都市時差選択信号Ｓ６０が出力され都市時差記憶手段５０にあらかじめ記憶されている都市及び時差を順番に選択し、都市時差表示信号Ｓ５３を出力して表示手段Ｂ１３に表示される。既に任意都市時差メモリー５１に都市と時差が記憶されていれば、プッシュボタンＡ１４２の操作で”ＮＹＣ  −５”の次に選択され、都市時差表示信号Ｓ５３を出力して表示手段Ｂ１３に表示する。図６は”ＴＹＯ  ＋９”が選択されている状態である。
【００３５】
続いてプッシュボタンＡ１４１を１〜１．５秒押し続けることにより修正状態にして図示しない設定手段を用いて任意都市と任意時差を入力する。入力値は都市表示部４０及び時差表示部４１に表示される。任意都市と時差の設定が終了しプッシュボタンＡ１４１を操作すると、任意都市時差メモリー５１に記憶されるとともに一致回路１７に出力される。
【００３６】
次にパワーセーブモードに移行する場合について説明する。任意登録都市モード状態における修正状態で登録表示されている設定都市メモリー３１の都市を通常あり得ない都市にあわせ、さらに設定時差メモリー３２を通常あり得ない時差にあわせて通常状態に戻す（例えば、設定都市を存在しない邪馬台国からとってＹＭＴと設定し、時差は０〜２３時間しかあり得ないので２５とあわせる）。設定都市メモリー３１から出力される都市情報Ｓ５４と特定都市手段３３から出力される特定都市信号Ｓ５０が一致し、設定時差メモリー３２から出力される時差情報Ｓ５５と特定時差手段３４から出力される特定時差信号Ｓ５１が一致すると一致信号Ｓ３５が出力される。
【００３７】
一致信号Ｓ３５が出力されると、パワーセーブ手段２０のパワーセーブカウンター２１がイネーブルとなり、パワーセーブカウンター２１がカウントを開始すると同時にパワーセーブ状態信号Ｓ４２を出力する。パワーセーブ状態信号Ｓ４２を受け取ったモード発生手段５は、パワーセーブ状態であることを、モード内状態発生手段６、時刻カレンダー計時手段７、任意登録都市設定手段３０、都市時差記憶手段５０に出力する。この出力を受けて時刻カレンダー計時手段７はディゼーブル状態になる。時刻計時手段３をディゼーブル状態にすることで時刻表示信号ＡＳ２８の出力を停止し、表示手段Ａ１２は運針を停止する。同様に都市時差記憶手段５０はディゼーブル状態になる。都市時差記憶手段５０をディゼーブル状態にすることで都市時差記憶信号Ｓ５３の出力を停止し、表示手段Ｂ１３は表示を消灯する。よって運針が停止し表示が消灯することになりパワーセーブ状態に移行される。この間パワーセーブカウンター２１はパワーセーブ状態が解除されるまで１秒間隔でカウントし続ける。
【００３８】
パワーセーブを終了したい場合は、プッシュボタンＡ１４１またはプッシュボタンＢ１４２の操作を行う。この操作によりパワーセーブ手段２０はパワーセーブ状態を解除する。パワーセーブが解除されるとパワーセーブ状態信号Ｓ４２をモード信号発生手段５に伝える。またカウンター情報信号Ｓ４３を出力する。
【００３９】
モード信号発生手段５は、時刻カレンダー計時手段７をイネーブルにするための時刻カレンダーモード信号Ｓ２４を出力し、時刻カレンダー計時手段７をイネーブル状態にする。また任意登録都市設定手段３０と都市時差記憶手段５０をイネーブルにするため任意登録都市モード信号Ｓ６０を出力する。
【００４０】
イネーブル状態となった時刻計時手段３は、パワーセーブ手段２０から出力されたカウンター情報Ｓ４３を受け取ってカウンター値を加算し現在時刻に復帰させてから時刻表示信号ＡＳ２８、カレンダー歩進信号Ｓ３６を出力する。時刻表示信号ＡＳ２８の信号をもとに表示手段Ａ１２の運針を再開する。
【００４１】
同様にイネーブルとなった任意登録都市設定手段３０は、一時待避メモリー４５に待避させた情報を設定都市メモリー３１及び設定時差メモリー３２に送り、都市情報Ｓ５４、時差情報Ｓ５５を出力する。
【００４２】
同様にイネーブルとなった任意都市時差メモリー５０は、都市情報Ｓ５４、時差情報Ｓ５５を受けとって都市時差表示信号Ｓ５３を出力する。都市時差表示信号Ｓ５３の信号をもとに表示手段Ｂ１３は再び表示される。
【００４３】
時刻表示信号ＡＳ２８の信号をもとに表示手段Ａ１２を表示、都市時差表示信号Ｓ５３の信号をもとに表示手段Ｂ１３が表示することにより、パワーセーブ状態を終了させることができる。
【００４４】
以上の説明から明らかなように本発明によって、検査回路を働かせたい場合でもシステムリセットを行なわず検査を行えるので、検査後に再び時刻合わせを行う必要がなくなった。また、割り込みスイッチを設けることなく検査、又はパワーセーブ状態に移行させることができ、時計内部のスペースの確保が可能となった。また既に出荷された以前の年月日設定を行い、さらに本来の年月日ではあり得ない曜を設定することにより、ユーザーに気づくことなく検査を動作させる、又はパワーセーブ回路等含む所定の回路を働かせることが可能となった。
【００４５】
また存在しない都市と、さらにあり得ない時差を設定することにより、ユーザーに気づくことなく検査を動作させる、又はパワーセーブ回路等含む所定の回路を働かせることが可能となった。
【発明の効果】
上記のごとく本発明によれば、付加機能を制御する制御手段を特定の状態に設定することで時計のモードが移行される構成としたので、特別なスイッチなどを設けなくても時計のモード移行が行うことが可能となった。
【図面の簡単な説明】
【図１】本発明の第１の実施形態を示す電子時計の回路ブロック図である。
【図２】本発明の第１の実施形態を示す電子時計の上面図である。
【図３】本発明の従来例を示す電子時計の回路ブロック図である。
【図４】本発明の第２の実施形態を示す電子時計の回路ブロック図である。
【図５】本発明の第３の実施形態を示す電子時計の回路ブロック図である。
【図６】本発明の第３の実施形態を示す電子時計の上面図である。
【符号の説明】
１  発振回路
２  基準信号発生手段
３  時刻計時手段
４  モードスイッチ
５  モード信号発生手段
６  モード内状態発生手段
７  時刻カレンダー計時手段
８  年月日計時手段
９  曜計時手段
１０  高度計測手段
１１  高度呼び出し手段
１２  表示手段Ａ（アナログ表示）
１３  表示手段Ｂ（デジタル表示）
１４  高度回路
１５  計測回路
１６  特定曜手段
１７  一致回路
１８  特定年月日手段
１９  メモリー手段
２０  パワーセーブ手段
２１  パワーセーブカウンター
３０  任意登録都市設定手段
３１  設定都市メモリー
３２  設定時差メモリー
３３  特定都市手段
３４  特定時差手段
４０  都市表示部
４１  時差表示部
４５  一時待避メモリ
５０  都市時差記憶手段
５１  任意都市時差メモリー
１４１  プッシュボタンＡ
１４２  プッシュボタンＢ
１４３  割り込みスイッチ
Ｓ２１  時刻基準信号
Ｓ２２  機能情報基準信号
Ｓ２３  モードスイッチ信号
Ｓ２４  時刻カレンダーモード信号
Ｓ２５  高度呼び出し信号
Ｓ２６  高度モード信号
Ｓ２７  モード内状態信号
Ｓ２８  時刻表示信号Ａ
Ｓ２９  時刻表示信号Ｂ
Ｓ３０  カレンダー表示信号
Ｓ３１  高度表示信号
Ｓ３２  年月日情報
Ｓ３３  曜情報
Ｓ３４  特定曜信号
Ｓ３５  一致信号
Ｓ３６  カレンダー歩進信号
Ｓ３７  検査表示信号
Ｓ３８  割り込み信号
Ｓ３９  特定年月日信号
Ｓ４０  メモリー呼び出し信号
Ｓ４１  メモリー表示信号
Ｓ４２  パワーセーブ状態信号
Ｓ４３  カウンター情報
Ｓ５０  特定都市信号
Ｓ５１  特定時差信号
Ｓ５２  任意登録都市モード信号
Ｓ５３  都市時差表示信号
Ｓ５４  都市情報
Ｓ５５  時差情報
Ｓ６０  都市時差選択信号
【図１】
0004580110.tif 000002
【図２】
0004580110.tif 000003
【図３】
0004580110.tif 000004
【図４】
0004580110.tif 000005
【図５】
0004580110.tif 000006
【図６】
0004580110.tif 000007